(57)【要約】【課題】送受信タイミングの切替を適正に行い、通信品質の劣化を防止できるＴＤＤ方式の無線通信装置を提供する。【解決手段】屋外装置において、ＡＳＫ変調済みのＴＤＤ切替信号を規定のサンプルレートでディジタル変換して絶対値を取った後、サンプル時間毎にキャリア周期分の当該絶対値の総和を求め、当該総和と予め設定された閾値とを比較し、比較結果に基づいて復調済みのＴＤＤ切替信号を出力すると共に、復調済みのＴＤＤ切替信号について、同一の値が継続して出力される期間をサンプル時間でカウントし、当該カウント結果と、屋内装置で生成されるＴＤＤ切替信号の送信期間又は受信期間をサンプル時間でカウントした場合のカウント数である設定カウント値とを比較し、比較結果に基づいて閾値を調整するＴＤＤタイミング補正回路２６を設けたＴＤＤ方式の無線通信装置である。【選択図】        図２
2005012411.tif 000002
【特許請求の範囲】
【請求項１】
無線通信制御を司る屋内装置と、無線通信動作を行う屋外装置とを有し、前記屋内装置は、前記屋内装置及び前記屋外装置における送信期間と受信期間を表す矩形波であるＴＤＤ切替信号を作成し、前記ＴＤＤ切替信号を任意の周波数のキャリア信号でＡＳＫ変調して前記屋外装置に送信し、前記屋外装置は、前記ＡＳＫ変調されたＴＤＤ切替信号を復調し、復調されたＴＤＤ切替信号に基づいて無線通信の送受信を切り替えるＴＤＤ方式の無線通信装置であって、
前記屋外装置が、ＡＳＫ変調されたＴＤＤ切替信号を、特定のサンプルレートでディジタル変換して出力するＡＤコンバータと、
前記ディジタル変換されたＴＤＤ切替信号の絶対値を取得してサンプル時間毎に出力する絶対値変換回路と、
前記絶対値を前記キャリア信号の一周期分加算して出力する加算部と、
予め設定された閾値と、前記加算器からの加算結果とを比較し、当該比較結果を、復調済みのＴＤＤ切替信号として出力する比較器と、
前記復調済みのＴＤＤ切替信号における送信期間又は受信期間を前記サンプルレートでカウントするカウンタと、
前記カウンタでのカウント結果と、前記屋内装置で作成されるＴＤＤ切替信号における送信期間又は受信期間に基づく設定カウント値とを比較し、比較結果に応じて前記比較器の閾値を調整する判定器とを有するＴＤＤタイミング補正回路を備え、
前記ＴＤＤタイミング補正回路から出力される復調済みのＴＤＤ切替信号に基づいて、無線通信の送受信を切り替える屋外装置であることを特徴とするＴＤＤ方式の無線通信装置。
【発明の詳細な説明】
【０００１】
【発明の属する技術分野】
本発明は、主に加入者系無線アクセスシステム（Ｆｉｘｅｄ  Ｗｉｒｅｌｅｓｓ  Ａｃｃｅｓｓ  Ｓｙｓｔｅｍ：ＦＷＡ）に用いられる、ＴＤＤ（Ｔｉｍｅ  Ｄｉｖｉｓｉｏｎ  Ｄｕｐｌｅｘ）方式の無線通信装置に係り、特に送受信タイミングの切替を適正に行い、通信品質の劣化を防止できる無線通信装置に関する。
【０００２】
【従来の技術】
通信事業者設備（基幹回線及び基地局）と、企業ユーザやＳＯＨＯ（Ｓｍａｌｌ  Ｏｆｆｉｃｅ，Ｈｏｍｅ  Ｏｆｆｉｃｅ）と呼ばれる個人事業者や、一般家庭ユーザ等の加入者局（子局）とを無線でつなぐ通信システムとして加入者系無線アクセスシステム（Ｆｉｘｅｄ  Ｗｉｒｅｌｅｓｓ  Ａｃｃｅｓｓ  Ｓｙｓｔｅｍ：ＦＷＡ）が実用化されている。当該システムは、基地局−子局間のデータ通信に、復信方式としてＴＤＤ（Ｔｉｍｅ  Ｄｉｖｉｓｉｏｎ  Ｄｕｐｌｅｘ）方式を用いる場合がある。ＴＤＤは、時間を分割して全二重通信を行う通信方式である。
【０００３】
加入者系無線アクセスシステムにおける加入者宅（子局）は、概略として、無線信号の送受信を行うアンテナと、加入者端末と、加入者端末で入出力されるデータを無線送受信するための無線通信装置とから構成されている。
企業ユーザや集合住宅等において上記システムを利用する場合、ビル内各所に複数設置された加入者端末をＬＡＮ等で接続し、当該ＬＡＮに接続される無線通信装置からビルの屋上などに設置されたアンテナを介して無線信号を送受信する利用方法が考えられる。しかしながら、上記方法では、無線通信装置とアンテナの距離が長くなる。
【０００４】
一般的に加入者系無線アクセスシステムでは、無線周波数として準ミリ波、ミリ波帯が用いられるため、アンテナだけを屋上に設置して無線周波数のままケーブルを取り回し、室内に設置された無線通信装置に接続させると、通信信号の損失は多大となり、通信として成立しなくなる。また、低損失のケーブルはコストがかかるという難点があった。
【０００５】
上記難点の解消のため、加入者局（子局）では、無線通信装置を、屋内装置（Ｉｎ  Ｄｏｏｒ  Ｕｎｉｔ：ＩＤＵ）と、屋外装置（Ｏｕｔ  Ｄｏｏｒ  Ｕｎｉｔ：ＯＤＵ）とに分割し、屋内装置と屋外装置とを同軸ケーブルで接続した構成を一般的に採用している。
上記構成において、屋内装置はインターネットやＬＡＮ等と接続される形で室内に設置され、屋外装置はビルの屋外等に設置され、さらに屋外装置にはアンテナが接続される。そして屋内装置及び屋外装置は、同軸ケーブルで接続される。
【０００６】
上述したように、無線周波数のままケーブルを取り回すと、長いケーブルが必要となり、通信信号の損失は多大となる。そこで屋内装置と屋外装置の間では、数〜数百ＭＨｚ程度の中間周波数帯で通信を行い、屋外装置において中間周波数−無線周波数の変換を行う周波数変換装置を設置し、通信信号の損失を防止している。
また、無線通信装置における各種通信制御は、通常は屋内装置によって行われる。例えば加入者系無線アクセスシステムがＴＤＤ方式を採用している場合には、屋内装置は、加入者局（子局）における通信信号の送受信のタイミングを制御するための装置を備えておき、当該装置を用いて、屋内装置及び屋外装置の各部に対して通信信号の送受信のタイミングの切替制御を行っている。
【０００７】
ＴＤＤ方式を採用する無線通信装置として、平成１５年１月１７日公開の特開２００３−１８０７５号「無線通信装置」（出願人：株式会社日立国際電気、発明者：斉藤広隆）が提案されている。
上記装置は、屋内装置が、主制御回路において通信動作タイミングの基準となる基本信号を生成し、送受信データの主信号とは異なる周波数で同軸ケーブルを介して屋外装置へ送信し、屋外装置が、ＴＤＤタイミング制御回路で屋内装置からの基本信号に従って無線通信動作のタイミングを制御する複数の制御信号を生成し、送受信機で上記制御信号に従って無線通信動作を行うものであり、無線通信装置の構成及び設置作業を簡略化し、信頼性を向上できることを特徴としている。
【０００８】
また、平成１４年５月２４日公開の特開２００２−１５２２９１号「ＡＳＫ通信装置」（出願人：富士通株式会社、発明者：鷺保雄他）では、屋内装置と屋外装置との間を一本の同軸ケーブルで接続し、屋内装置において制御信号をＡＳＫ（Ａｍｐｌｉｔｕｄｅ  Ｓｈｉｆｔ  Ｋｅｙｉｎｇ）方式によって変調して伝送し、屋外装置において当該制御信号を復調して再生する通信装置が提案されている。
また、平成１４年１０月４日公開の特開２００２−２９０２６３号「無線通信装置」（出願人：株式会社日立国際電気、発明者：斉藤広隆他）では、屋内装置及び屋外装置における可変利得増幅器の利得をそれぞれ制御することで、送信と受信との両方向での同軸ケーブルの伝送損失を補償する無線通信装置が提案されている。
【０００９】
【特許文献１】
特開２００３−１８０７５号公報（第４−５頁、第１−２図）
【特許文献２】
特開２００２−１５２２９１号公報（第３−４頁、第１図）
【特許文献３】
特開２００２−２９０２６３号公報（第４−６頁、第１図）
【００１０】
【発明が解決しようとする課題】
しかしながら、上記従来のＴＤＤ方式の無線通信装置では、屋外装置において、送受信機能の切り替えが適正に行われず、無線通信の品質が劣化するという問題点があった。
【００１１】
従来の一般的なＴＤＤ方式の無線通信装置について、図８を用いて説明する。図８は、従来の一般的なＴＤＤ方式の無線通信装置の構成ブロック図である。
図８の無線通信装置は、主として屋内装置（図ではＩＤＵ）１と、屋外装置（図ではＯＤＵ）２と、アンテナ３とから構成されている。このうち、アンテナ３は、屋外装置２に取り付けられており、屋内装置１と屋外装置２とは、一本の同軸ケーブル４で接続されている。
【００１２】
図８において、屋内装置１には、送信部１１と、受信部１２と、ＴＤＤスイッチ１３と、主制御回路１４と、ＡＳＫ発生回路１５と、デュープレクサ１６が備えられている。また、屋外装置２には、デュープレクサ２１と、ＴＤＤスイッチ２２と、送信系２３と、受信系２４と、ＴＤＤスイッチ２５と、ＡＳＫ検波回路２８とが備えられている。
【００１３】
まず、屋内装置１の各部について説明する。
送信部１１は、送信データを中間周波数の搬送波で変調し、送信信号としてＴＤＤスイッチ１３に出力するものであり、受信部１２は、屋外装置２から出力された、中間周波数の受信信号を復調し、受信データとして出力するものである。尚、図８では、送信信号及び受信信号を、主信号と総称している。
【００１４】
ＴＤＤスイッチ１３は、後述する主制御回路１４から出力されるＴＤＤ切替信号に基づいて、デュープレクサ１６の接続先を、送信部１１又は受信部１２のいずれかに切り替えるものである。ＴＤＤスイッチ１３の接続先が送信部１１の場合には、送信部１１からの送信信号がデュープレクサ１６に出力され、接続先が受信部１２の場合には、デュープレクサ１６から出力される、屋外装置１２からの受信信号が受信部１２に出力される。
【００１５】
図８の無線通信装置は、無線通信にあたってＴＤＤ方式を採用しており、無線信号の送受信制御を規定のタイミングで交互に切り替えて行っている。このためＴＤＤスイッチ１３は、ＴＤＤ切替信号の値に応じて、デュープレクサ１６の接続先を送信部１１又は受信部１２に交互に切り替える制御を行う。後述する屋外装置２におけるＴＤＤスイッチも、同様の制御を行う。
【００１６】
主制御回路１４は、無線通信装置全体の制御を司るものであり、自発的に又は屋外装置２から送信される制御信号に基づいて、対応する制御信号を生成し、無線通信装置の各部へ出力するものである。
特にＴＤＤ方式での送受信のタイミングの切り替えに関しては、主制御回路１４は、ＴＤＤ切替信号を生成し、ＴＤＤスイッチ１３及び後述するＡＳＫ発生回路１５に出力する。
【００１７】
ＴＤＤ切替信号は、広帯域の周波数成分を有する矩形波の信号である。また、ＴＤＤ切替信号は、ＯＮのときに”１”を、ＯＦＦのときに”０”の値を取るものとし、ＯＮ及びＯＦＦの状態が、交互に現れるものとなっている。また、ＯＮ及びＯＦＦの状態は、それぞれ規定時間続くものとなっている。
上記時間幅は、図８の無線通信装置で送信を行うための期間（以下、送信期間）と、受信を行うための期間（以下、受信期間）を表すものとなっている。
【００１８】
ＡＳＫ発生回路１５は、主制御回路１４からのＴＤＤ切替信号に対し、任意の周波数のキャリア信号を用いてＡＳＫ変調を行い、変調後のＴＤＤ切替信号（図ではＴＤＤ切替信号（変換済））としてデュープレクサ１６に出力する。
ＡＳＫ変調方式とは、データの”１”、”０”に対応して搬送波をオン、オフ変調する方式であり、比較的簡単な構成で実現できることが知られている。
【００１９】
上述したように、ＴＤＤ切替信号は広帯域の矩形波であるため、後述するデュープレクサ１６において、そのまま送信信号と重畳されて屋外装置２に送信されると、屋外装置２において、送信信号を無線周波数で変調する際に上記切替信号が雑音成分となり、送信信号の品質が劣化する。
このため屋内装置２は、ＡＳＫ発生回路１５を用いて、ＴＤＤ切替信号を、送信部１１で用いる中間周波数と異なる任意の周波数のキャリア信号によってＡＳＫ変調させ、変調後の信号を送信信号に重畳させ屋外装置２に送信させている。
ＡＳＫ発生回路１５の詳細な構成については、後述する。
【００２０】
デュープレクサ１６は、ＴＤＤスイッチ１３からの送信信号と、ＡＳＫ発生回路１５からの変調後のＴＤＤ切替信号とを重畳し、同軸ケーブル４を用いて屋外装置２に送信し、また同軸ケーブル４を介して送信される、屋外装置２からの信号を周波数別に分離し、当該信号に含まれる受信信号をＴＤＤスイッチ１３に出力する結合器である。
【００２１】
また、デュープレクサ１６は、送信時には、ＴＤＤ切替信号の他に、屋外装置２に対する制御信号を送信信号に重畳して屋外装置２に送信する。上記制御信号は、主制御回路１４から出力され、屋内装置１内の変調手段（図示せず）によって任意の周波数でＡＳＫ変調され、デュープレクサ１６に出力されるものである。上記制御信号も広帯域の矩形波であるため、屋外装置２への送信時には、予めＡＳＫ変調する必要がある。
【００２２】
屋外装置２に対する制御信号には、例えば屋外装置２の生存確認の制御命令や、屋外装置２の温度取得の制御命令が含まれる。上記制御信号は、屋外装置２において復調された後、屋外装置２の動作監視手段（図示せず）に出力され、上記制御信号に対応した、屋外装置２に関する情報が収集される。
【００２３】
また、デュープレクサ１６は、送信時には、さらに屋外装置２用の電源の直流信号も送信信号に重畳して屋外装置２に送信しており、屋外装置２への電源を供給している。
以後、デュープレクサ１６から送信される、ＴＤＤ切替信号や制御信号等が重畳された送信信号を、重畳送信信号と称する。
【００２４】
また、デュープレクサ１６は、受信時には、屋外装置２からの信号を周波数分離して変調された制御信号を抽出し、屋内装置１内の復調手段（図示せず）に出力する。上記復調手段は、制御信号を復調して主制御回路１４に出力する。主制御回路１４は、受信した制御信号に含まれる制御情報に基づいて、新たな制御信号を生成し、屋外装置２へ送信する。
【００２５】
屋外装置２からの制御信号は、屋外装置２における動作監視手段から出力されるものであり、例えば屋外装置２の生存情報、屋外装置２の温度情報、屋外装置２で用いられるＰＬＬ（Ｐｈａｓｅ  Ｌｏｃｋｅｄ  Ｌｏｏｐ）シンセサイザ等の障害情報等が含まれる。上記制御情報は、後述するように、屋外装置２において、任意の周波数で変調された後、デュープレクサ２１で受信信号に重畳されて、屋内装置１に送信される。
【００２６】
ここで、ＡＳＫ発生回路１５の詳細な構成について、図９を用いて説明する。図９は、ＡＳＫ発生回路１５の構成ブロック図である。
図９のＡＳＫ発生回路１５は、ＡＮＤ回路（図ではＡＮＤ論理）１５１と、コンデンサ１５２と、バンドパスフィルタ（Ｂａｎｄ  Ｐａｓｓ  Ｆｉｌｔｅｒ：ＢＰＦ）１５３とを備えている。
【００２７】
図９において、ＡＮＤ回路１５１は、主制御回路１４から出力されるＴＤＤ切替信号と、発振器（図示せず）から出力される任意の周波数のキャリア信号との論理積を求め、結果をコンデンサ１５２に出力する。ＡＮＤ回路１５１においてＴＤＤ切替信号とキャリア信号との論理積が求められることで、ＴＤＤ切替信号に対してキャリア信号によるＡＳＫ変調が行われる。
【００２８】
コンデンサ１５２は、ＡＮＤ回路１５１から出力される、ＡＳＫ変調されたＴＤＤ切替信号から直流成分を除去し、バンドパスフィルタ１５３に出力する。コンデンサ１５２において直流成分が除去されることで、上記信号から雑音となる成分が取り除かれる。
【００２９】
バンドパスフィルタ１５３は、キャリア信号の周波数成分のみを透過するフィルタであり、コンデンサ１５２からの信号に対し、当該周波数成分以外を除去してデュープレクサ１６に出力する。
【００３０】
次に、屋外装置２の各部について説明する。
デュープレクサ２１は、同軸ケーブル４によって屋内装置１のデュープレクサ１６と接続されており、屋内装置１からの重畳送信信号を周波数別に分離し、当該信号に含まれる送信信号をＴＤＤスイッチ２２に、同じく当該信号に含まれるＴＤＤ切替信号をＡＳＫ検波回路２８に出力し、またＴＤＤスイッチ２２からの受信信号と、動作監視手段から出力される制御信号とを重畳し、同軸ケーブル４を用いて屋内装置１に送信する結合器である。
【００３１】
また、デュープレクサ２１は、送信時には、重畳送信信号を周波数分離して屋内装置１からの変調された制御信号を抽出し、屋外装置２内の復調手段（図示せず）にも出力する。上記復調手段は、変調された制御信号を復調して動作監視手段に出力する。動作監視手段は、上記制御信号に含まれる制御命令に基づいて、屋外装置２に関する情報（制御情報）を収集し、当該情報を制御信号として屋外装置２内の変調手段（図示せず）に出力する。
【００３２】
また、デュープレクサ２１は、受信時には、動作監視手段から出力される制御信号を受信信号に重畳して屋内装置１に送信する。
屋外装置２の制御信号も広帯域の矩形波であるため、屋内装置１への送信時には、予めＡＳＫ変調する必要がある。動作監視手段から出力された制御信号は、変調手段によって任意の周波数でＡＳＫ変調され、制御信号として、デュープレクサ２１に出力される。上記制御信号は、上記屋内装置１における各部の説明の通り、屋内装置１において復調され、主制御回路１４に出力される。
以後、デュープレクサ２１から送信される、制御信号が重畳された受信信号を、重畳受信信号と称する。
【００３３】
ＴＤＤスイッチ２２は、後述するＡＳＫ検波回路２８から出力されるＴＤＤ切替信号に基づいて、デュープレクサ１６の接続先を、送信系２３又は受信系２４のいずれかに切り替えるものである。ＴＤＤスイッチ２２の接続先が送信系２３の場合には、屋内装置１からの送信信号は送信系２３に出力され、接続先が受信系２４の場合には、受信系２４からの受信信号はデュープレクサ２１に出力される。
【００３４】
送信系２３は、ＴＤＤスイッチ２２から出力される、屋内装置１からの送信信号を無線周波数に変換して、無線送信信号として出力するものである。送信系２３は、無線送信信号をＴＤＤスイッチ２５を介してアンテナ３へ出力する。
送信系２３は、中間周波数の送信信号又は無線送信信号を増幅するための増幅器、無線周波数変換のための乗算器及びＰＬＬシンセサイザとで構成することができる。
【００３５】
受信系２４は、ＴＤＤスイッチ２５から出力される、アンテナ３で受信された無線受信信号を中間周波数で変換して、受信信号として出力するものである。受信系２４は、受信信号をＴＤＤスイッチ２２を介してデュープレクサ２１へ出力する。
受信系２４は、中間周波数の受信信号又は無線受信信号を増幅するための増幅器、中間周波数変換のための乗算器及びＰＬＬシンセサイザとで構成することができる。
【００３６】
ＴＤＤスイッチ２５は、後述するＡＳＫ検波回路２８から出力されるＴＤＤ切替信号に基づいて、アンテナ３の接続先を、送信系２３又は受信系２４のいずれかに切り替えるものである。ＴＤＤスイッチ２５は。接続先が送信系２３の場合には、送信系２３からの無線送信信号がアンテナ３に出力され、接続先が受信系２４の場合には、アンテナ３から出力される無線受信信号が受信系２４に出力すされる。
【００３７】
ＡＳＫ検波回路２８は、デュープレクサ２１から出力されるＡＳＫ変調済みのＴＤＤ切替信号を復調し、復調したＴＤＤ切替信号（図ではＴＤＤ切替信号（復調済））をＴＤＤスイッチ２２及び２５に出力するものである。
【００３８】
ここで、ＡＳＫ検波回路２８の詳細な構成について、図１０を用いて説明する。図１０は、ＡＳＫ検波回路２８の構成ブロック図である。
図１０のＡＳＫ検波回路２８は、バンドパスフィルタ（図ではＢＰＦ）２８１と、ログアンプ２８２と、比較器２８３とを備えている。
【００３９】
図１０において、バンドパスフィルタ２８１は、ＴＤＤ切替信号のＡＳＫ変調で用いられたキャリア信号の周波数成分の信号のみを透過するフィルタであり、上記ＴＤＤ切替信号に対し、当該周波数成分以外の雑音成分を除去して、ログアンプ２８２に出力する。
【００４０】
ログアンプ２８２は、バンドパスフィルタ２８１からの変調済みのＴＤＤ切替信号の包絡線検波を行い、結果を比較器２８３に出力する。ログアンプ２８２は、具体的には、ＴＤＤ切替信号のレベルを対数変換し、当該信号を元の矩形波に近づけることで、包絡線検波を行う。
【００４１】
比較器２８３は、ログアンプ２８２におけるＴＤＤ切替信号の包絡線検波結果と、予め設定されているレベルの閾値とを比較し、検波結果のレベルが閾値よりも大きい場合には”１”を、小さい場合には”０”を表す矩形波を生成し、復調済みのＴＤＤ切替信号として出力する。
【００４２】
図８において、アンテナ３は、屋外装置２のＴＤＤスイッチ２５と接続されており、無線信号の送受信を行う。すなわち、アンテナ３は、受信した無線信号を無線受信信号としてＴＤＤスイッチ２５に出力し、ＴＤＤスイッチ２５から出力される無線送信信号を無線信号として送信する。
【００４３】
次に、図８の無線通信装置における、ＴＤＤ切替信号の制御動作について説明する。
図８において、屋内装置１の主制御回路１４から出力されるＴＤＤ切替信号は、ＴＤＤスイッチ１３及びＡＳＫ発生回路１５に出力される。ＴＤＤスイッチ１３は、ＴＤＤ切替信号の値に基づいて、デュープレクサ１６の接続先を、送信部１１又は受信部１２のいずれかに切り替える。
【００４４】
ＡＳＫ発生回路１５に入力されたＴＤＤ切替信号は、図９に示すように、ＡＮＤ回路１５１においてキャリア信号との論理積が求められ、キャリア信号によるＡＳＫ変調が行われる。
そしてＡＳＫ変調されたＴＤＤ切替信号は、コンデンサ１５２によって直流成分が除去され、さらにバンドパスフィルタ１５３によって、キャリア信号の周波数成分のみが透過される。バンドパスフィルタ１５３で透過された信号は、変調済みのＴＤＤ切替信号として、デュープレクサ１６に出力される。
【００４５】
デュープレクサ１６は、変調済みのＴＤＤ切替信号を、送信部１１からの送信信号に重畳して、重畳送信信号として同軸ケーブル４を通して屋外装置２に送信する。デュープレクサ１６は、ＴＤＤ切替信号の他に、屋外装置２に対する制御信号や、屋外装置２用電源の直流信号等も共に重畳して、屋外装置２に送信する。
【００４６】
屋外装置２に送信された重畳送信信号は、デュープレクサ２１において周波数分離が行われ、送信信号はＴＤＤスイッチ２２に、変調済みのＴＤＤ切替信号はＡＳＫ検波回路２８に出力される。このうちＡＳＫ検波回路２８に出力された変調済みのＴＤＤ切替信号は、図１０に示すように、バンドパスフィルタ２８１においてキャリア信号の周波数成分のみが透過され、ログアンプ２８２に出力される。
【００４７】
変調済みのＴＤＤ切替信号は、ログアンプ２８２によって包絡線検波が行われ、さらに比較器２８３において、予め設定されたレベルの閾値との比較が行われる。比較器２８３は、閾値と比較して、検波結果のレベルが閾値よりも大きい場合には”１”を、小さい場合には”０”の矩形波を生成し、復調済みのＴＤＤ切替信号としてＴＤＤスイッチ２２及び２５に出力する。
【００４８】
ＴＤＤスイッチ２２は、ＴＤＤ切替信号の値に基づいて、デュープレクサ２１の接続先を、送信系２３又は受信部２４のいずれかに切り替える。また、ＴＤＤスイッチ２５は、ＴＤＤ切替信号の値に基づいて、アンテナ３の接続先を、送信系２３又は受信系２４のいずれかに切り替える。
【００４９】
屋内装置１からＴＤＤ切替信号が屋外装置２に送信されることにより、屋内装置１におけるＴＤＤスイッチ１３と、屋外装置２におけるＴＤＤスイッチ２２及び２５は、図８の無線通信装置が送信機又は受信機として機能するよう、ＴＤＤ切替信号の値に応じて接続先が切り替わる。
【００５０】
例えば、ＴＤＤ切替信号の値が”１”の場合、ＴＤＤスイッチ１３が送信部１１に、ＴＤＤスイッチ２２が送信系２３に、ＴＤＤスイッチ２５が送信系２３に、それぞれ接続され、図８の無線通信装置は送信機として機能する。同様に、ＴＤＤ切替信号の値が”０”の場合、ＴＤＤスイッチ１３が受信部１１に、ＴＤＤスイッチ２２が受信系２４に、ＴＤＤスイッチ２５が受信系２４に、それぞれ接続され、図８の無線通信装置は受信機として機能する。
上述したＴＤＤ切替信号の動作制御によって、図８の無線通信装置では、送受信機能の切り替えが行われ、ＴＤＤ方式による無線通信を実現できる。
【００５１】
尚、次世代ＦＷＡシステムでは、ＴＤＤ切替信号の搬送波周波数は５ＭＨｚ、屋内装置１から屋外装置２への制御信号の搬送波周波数は１．２５ＭＨｚ、屋外装置２から屋内装置１への制御信号の搬送波周波数は３１２ｋＨｚの仕様となっている。
【００５２】
しかしながら、図８の無線通信装置では、屋外装置２のＡＳＫ検波回路２８において、ＴＤＤ切替信号が適正に復調されないため、送受信機能の切り替えが適正に行われない問題点があった。
上記問題点について、図１１及び図１２を用いて説明する。図１１は、図８の無線通信装置におけるＴＤＤ切替信号の状態の遷移を示した説明図であり、図１２は、図８の無線通信装置における、ＴＤＤ切替信号の復調結果による送受信タイミングの影響を示した説明図である。
【００５３】
屋内装置１の主制御回路１４から出力されるＴＤＤ切替信号の波形は、図１１（ａ）に示されるような矩形波となる。上述したように、ＴＤＤ切替信号は屋内装置１において、キャリア信号によるＡＳＫ変調が行われた後、送信信号と重畳されて屋外装置２に送信される。ＡＳＫ変調後のＴＤＤ切替信号は、元のＴＤＤ切替信号での値が”１”の期間において、キャリア信号の正弦波が表れる波形となる。
【００５４】
屋外装置２において、ＡＳＫ検波回路２８に入力されたＴＤＤ切替信号は、バンドパスフィルタ２８１によって透過された後、ログアンプ２８２で包絡線検波が行われる。
ところがログアンプ２８２は、信号のレベルに対して対数を取ることで包絡線を検波する構成となっているため、検波結果のうち、ＴＤＤ切替信号の立ち上がり時及び立ち下がり時においては、図１１（ｂ）に示すように、曲線状の波形、すなわち”なまり”が発生してしまう。
【００５５】
図１１（ｂ）に示すような検波結果が入力されると、比較器２８３は、設定されている閾値によっては、ＴＤＤ切替信号の正規の立ち上がり及び立ち下がりを検出することができない事態が発生する。
この結果、比較器２８３から出力される、復調済みのＴＤＤ切替信号は、図１１（ｃ）に示すように、上記立ち上がり時よりもずれたタイミングで、”１”を出力したり、元のＴＤＤ切替信号とは異なる期間で、”１”が出力され続けることになる。よって、比較器２８３は、適正にＴＤＤ切替信号を復調することができない。
【００５６】
比較器２８３がＴＤＤ切替信号を適正に復調する場合には、復調済みのＴＤＤ切替信号は図１２（ａ）に示される矩形波のようになる。ＴＤＤスイッチ２２及び２５は、当該信号に基づいて屋内装置１のＴＤＤスイッチ１３と同期して切替制御を行うため、無線通信装置は適正なタイミングで送信機能及び受信機能を実現することができ、所望の通信結果を得ることができる。
【００５７】
しかし、比較器２８３から、図１１（ｃ）に示すような復調結果が出力されると、元のＴＤＤ切替信号よりも”１”の期間が長い場合、すなわち送信期間が長い場合には、図１２（ｂ）に示されるように、受信のための期間が斜線で示された分だけ浸食される。このため、図８の無線通信装置は、無線信号の受信の途中で送信機能に切り替わることになり、受信データに欠落が生じ、無線通信の品質が劣化する。
【００５８】
これとは逆に、元のＴＤＤ切替信号よりも”１”の期間が短い場合、すなわち送信期間が短い場合には、図１２（ｃ）に示されるように、送信のための期間が斜線で示された分だけ浸食される。このため、図８の無線通信装置は、データ送信の途中で受信機能に切り替わることになり、送信信号においてデータの欠落が生じ、無線通信の品質が劣化する。
【００５９】
上述した問題点を解消するための方法として、比較器２８３からの復調済みのＴＤＤ切替信号における送信期間及び受信期間が、元のＴＤＤ切替信号の対応する期間と等しくなるように、比較器２８３の閾値を最適な値に調整する方法が考えられる。
しかしながら、上記閾値は、屋内装置１又は屋外装置２の個体差によるパラメータ補正、同軸ケーブル４の長さの変更や、ログアンプ２８２の温度特性による出力電圧値の変化等も考慮して、無線通信装置別に決定する必要がある。このため、上記閾値の調整は多大な労力を伴うものとなり、実用的ではない。
【００６０】
本発明は上記実情に鑑みて為されたもので、調整作業を要することなく送受信タイミングの切替を適正に行い、通信品質の劣化を防止できるＴＤＤ方式の無線通信装置を提供することを目的とする。
【００６１】
【課題を解決するための手段】
上記従来例の問題点を解決するための本発明は、ＴＤＤ方式の無線通信装置において、無線通信制御を司る屋内装置と、無線通信動作を行う屋外装置とを有し、屋内装置は、屋内装置及び屋外装置における送信期間と受信期間を表す矩形波であるＴＤＤ切替信号を作成し、ＴＤＤ切替信号を任意の周波数のキャリア信号でＡＳＫ変調して屋外装置に送信し、屋外装置は、ＡＳＫ変調されたＴＤＤ切替信号を復調し、復調されたＴＤＤ切替信号に基づいて無線通信の送受信を切り替えるＴＤＤ方式の無線通信装置であって、屋外装置が、ＡＳＫ変調されたＴＤＤ切替信号を、特定のサンプルレートでディジタル変換して出力するＡＤコンバータと、ディジタル変換されたＴＤＤ切替信号の絶対値を取得してサンプル時間毎に出力する絶対値変換回路と、絶対値をキャリア信号の一周期分加算して出力する加算部と、予め設定された閾値と、加算器からの加算結果とを比較し、当該比較結果を、復調済みのＴＤＤ切替信号として出力する比較器と、復調済みのＴＤＤ切替信号における送信期間又は受信期間をサンプルレートでカウントするカウンタと、カウンタでのカウント結果と、屋内装置で作成されるＴＤＤ切替信号における送信期間又は受信期間に基づく設定カウント値とを比較し、比較結果に応じて比較器の閾値を調整する判定器とを有するＴＤＤタイミング補正回路を備え、ＴＤＤタイミング補正回路から出力される復調済みのＴＤＤ切替信号に基づいて、無線通信の送受信を切り替える屋外装置であり、送受信タイミングの切替を適正に行い、通信品質の劣化を防止することができる。
【００６２】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００６３】
本発明の第１の実施の形態に係る無線通信装置は、ＡＳＫ変調済みのＴＤＤ切替信号を規定のサンプルレートでディジタル変換して絶対値を取った後、サンプル時間毎にキャリア周期分の当該絶対値の総和を求め、当該総和と予め設定された閾値とを比較し、比較結果に基づいて復調済みのＴＤＤ切替信号を出力すると共に、復調済みのＴＤＤ切替信号について、同一の値が継続して出力される期間をサンプル時間でカウントし、当該カウント結果と、屋内装置１で生成されるＴＤＤ切替信号の送信期間又は受信期間をサンプル時間でカウントした場合のカウント数である設定カウント値とを比較し、比較結果に基づいて閾値を調整するＴＤＤタイミング補正回路を屋外装置に設けたものであり、これにより送受信タイミングの切替を適正に行い、通信品質の劣化を防止することができる。
【００６４】
また、本発明の第２の実施の形態に係る無線通信装置は、ＡＳＫ変調済みのＴＤＤ切替信号を規定のサンプルレートでディジタル変換して絶対値を取った後、サンプルレートで出力される当該絶対値を累積加算して、キャリア周期分の絶対値の総和を当該周期毎に求め、当該総和と予め設定された閾値とを比較し、比較結果に基づいて復調済みのＴＤＤ切替信号を出力すると共に、復調済みのＴＤＤ切替信号について、同一の値が出力される期間を上記サンプルレートでカウントし、当該カウント結果と、予め設定されたカウンタ値とを比較し、比較結果に基づいて閾値を調整するＴＤＤタイミング補正回路を屋外装置に設けたものであり、これにより第１の実施の形態に係る無線通信装置の効果に加え、屋外装置の回路規模を縮小することができる。
【００６５】
尚、請求項における加算部は、図２の遅延素子２６４−１〜２６４−（Ｎ＝１）及び加算器２６５、図６の加算器２７１、遅延素子２７２、切替器２７３及びラッチ２７４にそれぞれ相当する。
【００６６】
本発明の第１の実施の形態に係る無線通信装置（以下、第１の装置）の構成について、従来の無線通信装置との相違点を中心に、図１及び図２を用いて説明する。図１は、第１の装置の構成ブロック図であり、図２は、第１の装置の屋外装置２に設けられる、第１のＴＤＤタイミング補正回路２６の構成ブロック図である。尚、図８に示す、従来の一般的な無線通信装置の各部と同一の構成については、同一の符号を付して説明する。
第１の装置は、屋外装置２において、ＴＤＤ検波回路２８の代わりに、ＴＤＤタイミング補正回路２６を設けた点が、図８の無線通信装置と異なる。また、ＴＤＤタイミング補正回路２６以外の各部の構成については、図８の無線通信装置における対応する部分の構成と同一であるため、説明は省略する。
【００６７】
次に、本発明の特徴である、ＴＤＤタイミング補正回路２６の構成について、図２を用いて説明する。
図２に示すように、ＴＤＤタイミング補正回路２６は、バンドパスフィルタ（図ではＢＰＦ）２６１と、ＡＤコンバータ２６２と、絶対値変換器２６３と、遅延素子２６４−１〜２６４−（Ｎ−１）と、加算器２６５と、比較器２６６と、カウンタ２６７と、判定器２６８を備えている。
【００６８】
バンドパスフィルタ２６１は、図８におけるＴＤＤ検波回路２８におけるバンドパスフィルタ２８１と同様、ＴＤＤ切替信号のＡＳＫ変調で用いられたキャリア信号の周波数成分の信号のみを透過するフィルタであり、上記ＴＤＤ切替信号に対し、当該周波数成分以外の雑音成分を除去して、ＡＤコンバータ２６２に出力する。
【００６９】
ＡＤコンバータ２６２は、バンドパスフィルタ２６１から出力された変調済みのＴＤＤ切替信号をデジタル変換し、絶対値変換器２６３に出力する。
ＡＤコンバータ２６２は、キャリア信号の周波数のＮ倍のサンプルレートによって、ＴＤＤ切替信号のデジタル変換を行う。
尚、Ｎは２より大であることが望ましい。ＡＳＫ変調済みのＴＤＤ切替信号には、キャリア信号の正弦波が含まれており、上記のようにＮを設定することで、ＡＤコンバータ２６２において、当該正弦波の振幅が０となる時点でのみディジタル変換されるのを防ぐことができる。
また、ＡＤコンバータ２６２には、サンプル時間毎に発振する発振器（図示せず）からのクロック信号が入力され、ＡＤコンバータ２６２は、当該信号に基づいてディジタル変換を行う。
【００７０】
絶対値変換器２６３は、ＡＤコンバータ２６２から出力される、ディジタルデータのＴＤＤ切替信号について絶対値を取得し、取得結果を遅延素子２６４−１に出力すると共に、加算器２６５に出力する。
【００７１】
遅延素子２６４−１〜２６４−（Ｎ−１）は、ディジタルデータを格納し、ＡＤコンバータ２６２におけるサンプル時間だけ遅延させて出力する遅延レジスタで構成される。遅延素子２６４−１〜２６４−（Ｎ−１）は、直列に接続されており、絶対値変換器２６３から出力されるＴＤＤ切替信号の絶対値を格納し、サンプル時間毎に次段の遅延素子及び加算器２６５に出力し、新たに絶対値変換器２６３又は前段の遅延素子から出力される絶対値を格納する。
ＡＤコンバータ２６２と同様に、遅延素子２６４−１〜２６４−（Ｎ−１）にもクロック信号が入力され、遅延素子２６４−１〜２６４−（Ｎ−１）は、当該信号に基づいて、絶対値の出力動作を行う。
【００７２】
加算器２６５は、絶対値変換器２６３及び遅延素子２６４−１〜２６４−（Ｎ−１）から出力されるＴＤＤ切替信号の絶対値を加算し、加算結果を比較器２６６に出力する。絶対値変換器２６３及び遅延素子２６４−１〜２６４−（Ｎ−１）からは、サンプル時間毎に絶対値が出力されるため、加算器２６５は、サンプル時間毎にキャリア信号の一周期分の絶対値の総和を算出する。
【００７３】
比較器２６６は、加算器２６５からサンプル時間毎に出力されるＴＤＤ切替信号の絶対値の総和と、予め設定された閾値とを比較し、上記総和が閾値よりも大きい場合には、”１”を、小さい場合には”０”の矩形波を生成し、復調済みのＴＤＤ切替信号（図ではＴＤＤ切替信号（復調済））として、屋外装置２のＴＤＤスイッチ２２及び２５に出力する。また、復調済みのＴＤＤ切替信号は、カウンタ２６７及び判定器２６８にも出力される
また、比較器２６６には、判定器２６８から閾値の調整のための制御信号（以下、閾値調整信号）が入力され、比較器２６６は、当該信号に基づき、閾値を調整して、新たな閾値を設定する。
【００７４】
カウンタ２６７は、復調済みのＴＤＤ切替信号の送信期間又は受信期間の長さをカウントするものである。
カウンタ２６７は具体的に、比較器２６６から出力される、復調済みのＴＤＤ切替信号の値を監視し、ＴＤＤ切替信号の値が切り替わった時点でカウント値を０にリセットしてカウントを開始する。カウンタ２６７は、発振器から入力されるクロック信号と同期して、上記カウント動作を行う。
そしてカウント動作中に、再びＴＤＤ切替信号の値が切り替わると、カウンタ２６７は、それまでのカウント値を記憶した後にカウント値をリセットし、切り替わった値について新たなカウント動作を開始する。
【００７５】
判定器２６８は、カウンタ２６７でカウントされた送信期間又は受信期間の長さに基づき、比較器２６６における閾値を調整する制御を行うものである。
判定器２６８は具体的に、比較器２６６から出力される、復調済みのＴＤＤ切替信号の値を監視し、ＴＤＤ切替信号の値が切り替わると、カウンタ２６７から、切り替わる前の値のカウント値を読み込む。
そして判定器２６８は、読み込んだカウント値と、予め設定されている設定カウント値との比較を行い、比較結果に基づいて、比較器２６６で設定されている閾値の値の調整方法を決定し、当該調整方法にしたがって閾値を調整する旨の閾値調整信号を比較器２６６に出力する。
判定器２６８における閾値の調整方法については、後述する。
【００７６】
次に、第１の装置におけるＴＤＤ切替信号の制御動作について説明する。尚、上記動作の説明において、ＴＤＤ切替信号の値が”１”の期間は、第１の装置における送信期間であることを示し、”０”の期間は、受信期間であることを示すものとする。
図１において、屋内装置１の主制御回路１４から出力されるＴＤＤ切替信号は、ＴＤＤスイッチ１３及びＡＳＫ発生回路１５に出力される。ＴＤＤスイッチ１３は、ＴＤＤ切替信号の値に基づいて、デュープレクサ１６の接続先を、送信部１１又は受信部１２のいずれかに切り替える。
また、ＡＳＫ発生回路１５に入力されたＴＤＤ切替信号は、ＡＳＫ変調された後、デュープレクサ１６に出力される。ＡＳＫ発生回路１５におけるＴＤＤ切替信号のＡＳＫ変調の動作については、図８の無線通信装置の場合と同様であるので、詳細な説明は省略する。
【００７７】
デュープレクサ１６は、変調済みのＴＤＤ切替信号を、送信部１１からの送信信号に重畳して、重畳送信信号として同軸ケーブル４を通して屋外装置２に送信する。デュープレクサ１６は、ＴＤＤ切替信号の他に、屋外装置２に対する制御信号や、屋外装置２用電源の直流信号等も共に重畳して、屋外装置２に送信する。
【００７８】
屋外装置２に送信された送信信号は、デュープレクサ２１において周波数分離が行われ、送信信号はＴＤＤスイッチ２２に、変調済みのＴＤＤ切替信号はＴＤＤタイミング補正回路２６に出力される。
このうちＴＤＤタイミング補正回路２６に出力された送信信号は、図２に示すように、まずバンドパスフィルタ２６１に入力される。バンドパスフィルタ２６１において、送信信号は、キャリア信号の周波数成分のみが透過され、変調済みのＴＤＤ切替信号がＡＤコンバータ２６２に出力される。
【００７９】
ＡＤコンバータ２６２において、ＴＤＤ切替信号は、発振器からのクロック信号に同期して、キャリア信号の周波数のＮ倍のサンプルレートでディジタル変換が行われる。そしてディジタル変換されたＴＤＤ切替信号は、絶対値変換器２６３においてその絶対値が取得され、遅延素子２６４−１（図では遅延素子１）及び加算器２６５に出力される。ＡＤコンバータ２６２では、サンプル時間毎にＴＤＤ切替信号のディジタル変換が行われるため、絶対値変換器２６３からも、ＴＤＤ切替信号の絶対値がサンプル時間毎に出力される。
【００８０】
遅延素子２６４−１に出力されたＴＤＤ切替信号の絶対値は、サンプル時間だけ遅延素子２６４−１に格納された後、次段の遅延素子２６４−２（図では遅延素子２）及び加算器２６５に出力される。以後、ＴＤＤ切替信号の絶対値は、サンプル時間毎に次段の遅延素子へシフト出力されると共に加算器２６５へ出力される。そして最後段の遅延素子２６４−（Ｎ−１）（図では遅延素子Ｎ−１）は、格納された絶対値を加算器２６５に出力する。
【００８１】
加算器２６５に出力されたＴＤＤ切替信号の絶対値は、加算器２６５によって当該絶対値の総和が求められ、比較器２６６に出力される。
ここで加算器２６５に出力されるＴＤＤ切替信号の絶対値と、加算器２６５における加算結果の関係について、図３を用いて説明する。図３は、ＴＤＤタイミング補正回路２６におけるＴＤＤ切替信号の絶対値及び加算器２６５の加算結果の出力タイミングのチャート図である。
尚、図３では、ＡＤコンバータ２６２のサンプルレートは、キャリア信号の周波数のＮ＝４倍とし、遅延素子の数はＮ−１＝３個として説明している。また、全ての遅延素子には前もって絶対値が記憶されていないものとする。
【００８２】
図３において、絶対値変換器２６３からは、ＴＤＤ切替信号の絶対値が、図３（ａ）に示すクロック信号に同期して出力される。図３（ｂ）に示すように、絶対値変換器２６３は、サンプル時間毎に絶対値Ｄ１、Ｄ２、Ｄ３…を遅延素子１及び加算器２６５に出力する。
そして遅延素子１は、絶対値変換器２６３から出力された絶対値を記憶し、図３（ｃ）に示すように、絶対値変換器２６３よりも屋内装置１サンプル時間遅れて、記憶された絶対値を遅延素子２及び加算器２６５に出力する。そして遅延素子２は、図３（ｄ）に示すように、絶対値変換器２６３よりも２サンプル時間遅れて、記憶された絶対値を遅延素子３及び加算器２６５に出力し、遅延素子３は、図３（ｅ）に示すように、絶対値変換器２６３よりも３サンプル時間遅れて、記憶された絶対値を加算器２６５に出力する。
【００８３】
一方、加算器２６５は、図３（ｆ）に示すように、サンプル時間毎に入力される絶対値について総和を求め、比較器２６６に出力するが、サンプル時間ｔ３までは、全ての遅延素子から絶対値が出力されるわけではないため、出力のあった絶対値について総和を求めることになる。
そしてサンプル時間ｔ４のときに初めて、絶対値変換器２６３及び遅延素子１〜３から同時に絶対値が加算器２６５に出力され、加算器２６５はキャリア信号の一周期分の絶対値についての総和を求めることができる。以後も絶対値変換器２６３及び遅延素子１〜３全てから絶対値が出力されるため、加算器２６５はキャリア信号の一周期分の絶対値の総和をサンプル時間毎に算出し続けることになる。
【００８４】
図２において、加算器２６５から比較器２６６に出力された絶対値の総和は、比較器２６６において、予め設定された閾値と比較される。そして総和が閾値よりも大きい場合には、”１”を、小さい場合には”０”の矩形波を生成し、復調済みのＴＤＤ切替信号として、屋外装置２のＴＤＤスイッチ２２及び２５に出力されると共に、カウンタ２６７及び判定器２６８にも出力される。
【００８５】
ここで比較器２６６で設定される閾値について、図４を用いて説明する。図４は、ＡＳＫ変調されたＴＤＤ切替信号の波形図である。
課題で説明したように、ＡＳＫ変調では、変調対象のデータの”１”、”０”に対応して搬送波をオン、オフ変調する方式が用いられている。よって、雑音成分が全く存在しない場合には、ＡＳＫ変調されたＴＤＤ切替信号は、図４（ａ）に示すような波形となる。図４（ａ）において、「正弦波」と示された期間は、元のＴＤＤ切替信号の値が”１”の期間であり、この期間にはキャリア信号の正弦波が現れる。また、元のＴＤＤ切替信号の値が”０”の期間においては、変調後の信号のレベルは０となる。
【００８６】
しかしながら、実際の通信信号には通常、雑音成分が含まれるものであり、ＡＳＫ変調後の波形も図４（ｂ）のようになる。図４（ｂ）に示す波形では、元のＴＤＤ切替信号の値が”０”の期間において、キャリア信号よりもレベルの小さい「雑音成分」が存在する。
図４（ｂ）のような波形のＴＤＤ切替信号について、正弦波の現れる期間と現れない期間を正確に復調するため、比較器２６６では、閾値として、雑音成分の絶対値についてのキャリア信号の一周期分の総和よりも大きな値が設定されている。
【００８７】
以下、閾値の具体的な決定方法について説明する。
図２のＴＤＤタイミング補正回路２６において、ＡＤコンバータ２６２は、ＡＳＫ変調後のＴＤＤ切替信号について、値が”０”の期間において雑音成分が存在しない場合には、ディジタル変換結果として、０レベルに対応するデータを出力する。
【００８８】
一方、雑音成分が存在する場合には、”０”の期間に、微少なレベルの信号が存在することになるため、ＡＤコンバータ２６１は、まず当該レベルに対応するデータを得る。そして当該データについて、１が検出された下位ビット数を測定して、これを雑音成分のディジタル変換結果として出力する。
例えば、あるサンプル時間における微少レベルに対し、得られたデータの下位３ビットに１が存在する場合、上記方法によれば、ＡＤコンバータ２６２は、雑音成分のディジタル変換結果として±３を出力する。
【００８９】
ＡＤコンバータ２６１によるディジタル変換結果は、絶対値変換器２６２において絶対値が取得されるため、上記雑音成分の絶対値は、３となる。上記雑音成分が、ＴＤＤ切替信号において均等に存在するとすれば、Ｎ＝４の場合には、加算器２６５における雑音成分の総和の最大値は、３×４＝１２となる。
このような場合、比較器２６６の閾値として１２よりも大きい値を設定することで、比較器２６６は、各サンプル時間において、誤って雑音成分を復調することなく、元のＴＤＤ切替信号における”１”の値の期間を正確に復調できる。
【００９０】
比較器２６６から出力される復調済みのＴＤＤ切替信号は、ＴＤＤタイミング補正回路２６において、カウンタ２６７及び判定器２６８に出力される。カウンタ２６７は、復調済みのＴＤＤ切替信号の値を監視し、ＴＤＤ切替信号の値が切り替わった時点、つまり値が”１”から”０”に切り替わった時点と、その逆に切り替わった時点でカウント値を０にリセットしてカウントを開始する。カウンタ２６７には、発振器からのクロック信号も入力され、カウンタ２６７は、当該クロック信号と同期してカウント動作を行う。すなわちカウンタ２６７は、ＴＤＤ切替信号が同一の値を出力し続ける期間を、クロック信号を基準としてカウントする。
そしてカウント動作中に、再びＴＤＤ切替信号の値が切り替わると、カウンタ２６７は、それまでのカウント値を記憶して当該カウント値をリセットし、切り替わった値について新たなカウント動作を開始する。カウンタ２６７は、上述したカウント動作を繰り返し行う。
【００９１】
また、判定器２６８は、復調済みのＴＤＤ切替信号の値を監視し、ＴＤＤ切替信号の値が切り替わると、カウンタ２６７で記憶されている、切り替わる前の値についてのカウント値を読み込む。
そして、判定器２６８は、読み込んだカウント値と、予め設定された設定カウント値との比較を行い、比較結果に基づいて、比較器２６６で設定されている閾値の調整方法を決定する。
【００９２】
以下、判定器２６８における閾値の調整方法について、図５を用いて説明する。図５は、判定器２６８における閾値の調整値の決定方法のフローチャート図である。尚、図５のフローチャート図は、送信期間のカウント結果に基づいて、閾値を調整する場合の例を示している。
判定器２６８は、ＴＤＤ切替信号の値が”１”から”０”に切り替わったことを認知すると、カウンタ２６７から、カウンタ２６７で記憶されている、切り替わる前の値についてのカウント値を読み込む（Ｓ１１）。
【００９３】
次に判定器２６８は、読み込んだカウント値と、判定器２６８に予め設定されている設定カウント値とを比較する。
設定カウント値とは、屋内装置１で生成される、元のＴＤＤ切替信号における送信期間又は受信期間をクロック信号でカウントした場合のカウント値のことである。例えば送信期間が１．１ｍｓであり、クロック信号が９ＭＨｚの場合、当該送信期間に対応する設定カウント値は９９００となる。ＴＤＤ方式では、送信期間又は受信期間は予め決まっているため、規定の設定カウント値を予め判定器２６８に設定することができる。
したがって、比較器２６６においてＴＤＤ切替信号の復調が適正に行われていれば、カウンタ２６７から読み込まれるカウント値は、常に設定カウント値と等しくなる。
【００９４】
第１の装置で採用するＴＤＤ方式において、送信期間及び受信期間が同一である場合には、設定カウント値は両方の期間について一種類だけ決めればよいが、送信期間と受信期間が異なる場合には、設定カウント値をそれぞれの期間について設定し、ＴＤＤ切替信号の値に応じて設定カウント値を選択して比較する必要がある。
【００９５】
比較の結果、読み込まれたカウント値が、設定カウント値よりも小さい場合（Ｓ１２のＹｅｓの場合）、判定器２６８は、比較器２６６の閾値を１だけ減算する旨の閾値調整信号を、比較器２６６に出力する（Ｓ１３）。比較器２６６は、上記閾値調整信号に基づいて、閾値を１だけ減算して新たな閾値を設定し、以後、この閾値によってＴＤＤ切替信号の復調を行う。
【００９６】
読み込まれたカウント値が、設定カウント値よりも小さいものでなく（Ｓ１２のＮｏの場合）、設定カウント値よりも大きい場合（Ｓ１４のＹｅｓの場合）、判定器２６８は、比較器２６６の閾値を１だけ加算する旨の閾値調整信号を、比較器２６６に出力する（Ｓ１５）。比較器２６６は、上記閾値調整信号に基づいて、閾値を１だけ加算して新たな閾値を設定し、以後、この閾値によってＴＤＤ切替信号の復調を行う。
【００９７】
処理Ｓ１４において、読み込まれたカウント値が、設定カウント値よりも大きいものでない場合には（処理Ｓ１４のＮｏの場合）、当該カウント値は、設定カウント値と等しいため、閾値の調整は行わない。
【００９８】
判定器２６８で読み込まれたカウント値（復調された送信期間）が、設定カウント値よりも小さいということは、比較器２６６は、閾値が大きく設定されているため、元のＴＤＤ切替信号における送信期間を実際よりも短く判断して、ＴＤＤ切替信号を復調していると考えられる。
逆に上記カウント値（復調された送信期間）が、設定カウント値よりも大きい場合、比較器２６６は、予め設定されている閾値が小さいため、元のＴＤＤ切替信号における送信期間を実際よりも長く判断して、ＴＤＤ切替信号を復調していると考えられる。
【００９９】
よって判定器２６８は、上記カウント値が大きい場合には閾値を大きくし、上記カウント値が小さい場合には閾値を小さくするような閾値調整信号を比較器２６６に出力しており、これにより比較器２６６の閾値を最適化でき、比較器２６６はＴＤＤ切替信号の送信期間及び受信期間を正確に復調できる。
【０１００】
判定器２６８において、受信期間を基に閾値を調整する場合には、カウント値の大小に対応する閾値の増減が逆になる。すなわち、図５のフローチャート図において、カウント値が受信期間に対応する設定カウント値よりも大きい場合には、閾値が小さく設定されているため、処理Ｓ１３では、判定器２６８は、閾値を１だけ加算する旨の閾値調整信号を比較器２６６に出力する。
また、カウント値が受信期間に対応する設定カウント値よりも小さい場合には、閾値が大きく設定されているため、処理Ｓ１５では、判定器２６８は、閾値を１だけ減算する旨の閾値調整信号を比較器２６６に出力する。
尚、図５では閾値の調整量を１としているが、当該調整量は、無線通信の環境等を考慮して、異なる値としてもよい。
【０１０１】
比較器２６６からＴＤＤタイミング補正回路２６外に出力された、復調済みのＴＤＤ切替信号は、ＴＤＤスイッチ２２及び２５に出力される。ＴＤＤスイッチ２２及び２５は、図８の無線通信装置の場合と同様、ＴＤＤスイッチ１３と共に、ＴＤＤ切替信号の値に基づき、交互に接続先を切り替える制御を行う。
上述したＴＤＤ切替信号の動作制御によって、第１の装置では、送受信機能の切り替えが行われ、ＴＤＤ方式による無線通信を実現できる。
【０１０２】
上述したように、第１の装置によれば、ＴＤＤタイミング補正回路２６を屋外装置２に設け、当該回路において、ＡＳＫ変調されたＴＤＤ切替信号を規定のサンプルレートでディジタル変換して絶対値を取得した後、加算器２６５によってサンプル時間毎にキャリア信号の一周期分の絶対値の総和を求め、比較器２６６によって当該総和と、予め設定された閾値とを比較し、総和が閾値よりも大きい場合には”１”の値を、総和が閾値よりも小さい場合には”０”の値を取る矩形波を復調済みのＴＤＤ切替信号として出力し、カウンタ２６７によって、復調済みのＴＤＤ切替信号について、同一の値が継続して出力される期間をサンプルレートでカウントし、判定器２６８によって、カウンタ２６７におけるカウント値と、送信期間又は受信期間における最大カウント数である設定カウント値とを比較し、カウント値が設定カウント値よりも小さければ、判定器２６８の閾値を減少させる閾値調整信号を、カウント値が設定カウント値よりも大きければ、判定器２６８の閾値を増加させる閾値調整信号を判定器２６８に出力するようにしたことで、ＴＤＤ方式の送受信タイミングの切替を適正に行い、通信品質の劣化を防止できる効果がある。
【０１０３】
特に、ＴＤＤタイミング補正回路２６は、図８のＡＳＫ検波回路２８と異なり、ＡＳＫ変調済みのＴＤＤ切替信号を歪まさずに、復調処理に用いることができるため、元のＴＤＤ切替信号における送受信の期間及びタイミングを忠実に再現して復調できる。また、比較器２６６における閾値は、キャリア信号の一周期分の雑音成分の総和よりも大きな値としているため、誤って雑音成分を復調するおそれはない。
【０１０４】
また、判定器２６８は、復調済みのＴＤＤ切替信号について、同一の値が継続して出力される期間のカウント値に基づいて、復調結果の適否を判断し、復調結果が適切でないと判断すると、比較器２６６における閾値を調整する制御を行う。これにより、ＴＤＤタイミング補正回路２６は、通信環境等によらず最適な閾値を容易に得ることができ、常にＴＤＤ切替信号における送受信の期間及びタイミングを忠実に再現して復調することができる。
よって、第１の装置は、元のＴＤＤ切替信号の送信期間及び受信期間にしたがい、屋外装置２のＴＤＤスイッチ２２及び２５の切替制御が行われるため、適正なタイミングで送信機能及び受信機能を実現することができ、送受信データが欠落することなく、所望の通信結果を得ることができる。
【０１０５】
次に、本発明の第２の実施の形態に係る無線通信装置（以下、第２の装置）について、第１の装置との相違点を中心に説明する。第２の装置の構成は、屋外装置２において、第１のＴＤＤタイミング補正回路２６の代わりに、図６に示す、第２のＴＤＤタイミング補正回路２７を設けた点を除いて、第１の装置の構成と同じである。
【０１０６】
まず、第２の装置に用いる第２のＴＤＤタイミング補正回路２７（以下、第２の回路）について、第１のＴＤＤタイミング補正回路２６（以下、第１の回路）との相違点を中心に説明する。図６は、第２の回路の構成ブロック図である。尚、第１の回路の各部と同一の構成については、同一の符号を付して説明する。
【０１０７】
図２に示すように、第１の回路は、キャリア信号の一周期分のＴＤＤ切替信号の絶対値を保持するため、ＡＤコンバータ２６１におけるディジタル変換のサンプルレートに対応して、遅延素子２６４を設ける必要がある。よって、ＴＤＤ切替信号のサンプル数を増やす場合には、これに応じて遅延素子２６４も増やす必要があるため、第１の回路全体の規模が増大してしまう。
【０１０８】
そこで、第２の回路は、キャリア信号の周期分の加算を累積加算で実施する加算手段を設けている。
したがって第２の回路は、キャリア信号の周期分の絶対値を保持するための遅延素子が必要がないため、サンプルレートによらず回路規模を一定に保つことができ、第１の回路と比較して、回路規模を縮小することができる。
【０１０９】
図６に示すように、第２の回路は、ＢＰＦ２６１と、ＡＤコンバータ２６２と、絶対値変換回路２６３と、加算器２７１と、遅延素子２７２と、切替器２７３と、ラッチ２７４と、比較器２７５と、カウンタ２６７と、判定器２６８とを備えている。
【０１１０】
以下、第２の回路の各部のうち、第１の回路と相違する構成部分について説明する。
加算器２７１は、絶対値変換器２６３から出力される、ディジタルデータのＴＤＤ切替信号の絶対値と、後述する切替器２７３から出力される、上記絶対値の累積加算結果との加算を行い、新たな累積加算結果を遅延素子２７２及びラッチ２７４に出力する。絶対値変換器２６３からは、サンプル時間毎に絶対値が出力され、また切替器２７３からも、サンプル時間毎に累積加算結果が出力されるため、加算器２６５は、サンプル時間毎に累積加算結果を算出する。
遅延素子２７２は、加算器２７１から出力されるＴＤＤ切替信号の絶対値の累積加算結果を格納し、サンプル時間だけ遅延させ、切替器２７３に出力する。
【０１１１】
切替器２７３は、屋外装置２におけるスイッチ制御部（図示せず）から出力されるスイッチ制御信号（図ではＳＷ制御信号）に基づいて、”０”値又は遅延素子２７２からの累積加算結果のいずれかを、上記絶対値の累積加算結果として加算器２７１に出力する。
上記スイッチ制御信号は、クロック信号のＮクロック毎、すなわちキャリア信号の一周期毎に、累積加算結果をリセットする旨の情報が含まれており、切替器２７３は、当該情報を認識すると、内部のスイッチを端子ｂに切り替えて、”０”値を加算器２７１に出力し、それ以外では、上記スイッチを端子ａに切り替えて、遅延素子２７２からの累積加算結果を加算器２７１に出力する。
【０１１２】
ラッチ２７４は、加算器２７１から出力される新たな累積加算結果を格納する。またラッチ２７４は、第２の発振器（図示せず）から出力される、キャリア信号と同一周期の１／Ｎクロック信号に基づいて、格納されている累積加算結果をラッチして比較器２７５に出力する。したがって、ラッチ２７４は、ＴＤＤ切替信号の絶対値について、キャリア信号の一周期分の累積加算結果（以下、周期加算結果）を比較器２７５に出力する。
【０１１３】
比較器２７５は、ラッチ２７４からキャリア信号の周期毎に出力される周期加算結果と、予め設定された閾値とを比較し、上記加算結果が閾値よりも大きい場合には、”１”を、小さい場合には”０”の矩形波を生成し、復調済みのＴＤＤ切替信号（図ではＴＤＤ切替信号（復調済））として、屋外装置２のＴＤＤスイッチ２２及び２５に出力する。また、復調済みのＴＤＤ切替信号は、カウンタ２６７及び判定器２６８にも出力される。
また、比較器２７５には、判定器２６８から閾値調整信号が入力され、比較器２６６は、当該信号に基づき、閾値を調整して、新たな閾値を設定する。
【０１１４】
次に、第２の装置におけるＴＤＤ切替信号の制御動作について、第１の装置との相違点を中心に、図６及び図７を用いて説明する。図７は、第２の回路における各部の出力信号及び制御信号のタイミングのチャート図である。
尚、図７も、ＡＤコンバータ２６２のサンプルレートは、キャリア信号の周波数のＮ＝４倍として説明している。また、遅延素子２７２には前もって絶対値が記憶されていないものとする。
【０１１５】
第２の装置における、屋内装置１から屋外装置２へのＴＤＤ切替信号の送信については、第１の装置と同様であるため、説明は省略する。
屋外装置２に送信された送信信号は、図１のデュープレクサ２１において周波数分離が行われ、送信信号はＴＤＤスイッチ２２に、変調済みのＴＤＤ切替信号はＴＤＤタイミング補正回路２７に出力される。
【０１１６】
このうちＡＳＫ検波回路２６に出力された送信信号は、図６に示すように、バンドパスフィルタ２６１によって、キャリア信号の周波数成分のみが透過され、ＡＤコンバータ２６２によって、キャリア信号の周波数のＮ倍のサンプルレートでディジタル変換が行われ、絶対値変換回路２６３によって、その絶対値が取得され、加算器２７１に出力される。バンドパスフィルタ２６１、ＡＤコンバータ２６２及び絶対値変換器２６３は、第１の装置と同一の構成であるため、動作の詳細な説明は省略する。
ＡＤコンバータ２６２は、図７（ａ）に示すクロック信号に同期して、サンプル時間毎にディジタル変換を行うため、絶対値変換器２６３からの出力も、図７（ｂ）に示すように、サンプル時間毎に行われる。
【０１１７】
絶対値変換器２６３から出力された、ＴＤＤ切替信号の絶対値は、加算器２７１に入力されると、切替器２７３から出力される絶対値の累積加算結果と加算され、新たな累積加算結果として遅延素子２７２及びラッチ２７４に出力される。加算器２７１において、新たな累積加算結果は、サンプル時間毎に求められ、遅延素子２７２及びラッチ２７４に出力される。
【０１１８】
遅延素子２７２に出力された累積加算結果は、サンプル時間遅延された後、切替器２７３に出力される。切替器２７３は、スイッチ制御信号に基づいて、加算器２７１に出力する累積加算結果を決定する。
スイッチ制御信号の波形は、図７（ｃ）に示すように、クロック信号のＮクロック毎にＯＮとなり、それ以外はＯＦＦとなっている。切替器２７３は、スイッチ制御信号がＯＮの場合には、内部のスイッチを端子ａに切り替え、累積加算結果として”０”値を加算器２７１に出力する。すなわち切替器２７３は、”０”値を出力することで、これまでの絶対値の累積加算結果をリセットして、加算器２７１に新たな累積加算を開始させる。
また、切替器２７３は、スイッチ制御信号がＯＦＦの場合には、内部のスイッチを端子ｂに切り替え、累積加算結果として、遅延素子２７２からの累積加算結果を加算器２７１に出力する。
【０１１９】
図７において、例えば、絶対値変換器２６３からＤ１が出力され、同じサンプル時間にスイッチ制御信号がＯＮとなり、切替器２７３から”０”値が出力された場合、加算器２７１は、これらを加算して、累積加算結果としてＤ１を出力する。当該加算結果は、図７（ｄ）に示すように、サンプル時間遅延されて、切替器２７３から出力される。
そして次のサンプル時間に、絶対値変換器２６３からＤ２が出力されると、同じサンプル時間にスイッチ制御信号はＯＦＦとなり、切替器２７３からは、１サンプル時間前の累積加算結果、すなわちＤ１が出力され、加算器２７１は、これらを加算して、累積加算結果としてＤ１＋Ｄ２を出力する。上記動作は、次にスイッチ制御信号がＯＮとなるまで繰り返される。
【０１２０】
よってＴＤＤタイミング補正回路２７は、加算器２７１、遅延素子２７２及び切替器２７３のループによって、キャリア信号の一周期の間、ＴＤＤ切替信号の絶対値の累積加算を継続して行い、上記絶対値の累積加算結果である周期加算結果をラッチ２７４に出力することができる。
【０１２１】
図６において、加算器２７３からの累積加算結果は、遅延素子２７２の他に、ラッチ２７４にも出力され、格納される。ラッチ２７４には、１／Ｎクロック信号も入力され、ラッチ２７４は、当該信号に基づき、格納されている累積加算結果を比較器２７５に出力する。
【０１２２】
１／Ｎクロック信号は、図７（ｅ）に示すように、Ｎクロック、すなわちキャリア周波数と同じ周期で発振するものであり、立ち上がりのタイミングは、図７（ｃ）のスイッチ制御信号のＯＮと同一である。ラッチ２７４は、１／Ｎクロック信号の立ち上がりに同期して、格納されている周期加算結果を比較器２７５に出力する。
例えば、図７（ｅ）における、１／Ｎクロック信号の二回目の立ち上がり時には、ラッチ２７４には周期加算結果Ｄ１＋Ｄ２＋Ｄ３＋Ｄ４が格納されており、図７（ｆ）に示すように、当該結果が比較器２７５に出力される。ラッチ２７４は、以後の立ち上がり時にも同様の動作を行う。よって、ラッチ２７４は、キャリア信号の周期毎に、周期加算結果を比較器２７５に出力することができる。
【０１２３】
図６において、ラッチ２７４から比較器２７５に出力された周期加算結果は、比較器２７５において、予め設定された閾値と比較される。そして当該加算結果が閾値よりも大きい場合には、”１”を、小さい場合には”０”の矩形波を生成し、復調済みのＴＤＤ切替信号として、屋外装置２のＴＤＤスイッチ２２及び２５に出力すると共に、カウンタ２６７及び判定器２６８にも出力する。
第２の装置の比較器２７５において、設定されている閾値は第１の装置の比較器２６６のものと同一であるが、周期加算結果はキャリア信号の周期毎に出力されるものであるため、当該閾値との比較はキャリア信号の周期毎に行われる。
【０１２４】
また、カウンタ２６７及び判定器２６８は、復調済みのＴＤＤ切替信号に基づいて、第１の装置と同様の動作を行う。
すなわちカウンタ２６７は、復調済みのＴＤＤ切替信号の値を監視し、ＴＤＤ切替信号の値が切り替わった時点でカウント値を０にリセットしてカウントを開始し、カウント動作中に、再びＴＤＤ切替信号の値が切り替わると、それまでのカウント値を記憶した後にカウント値をリセットし、切り替わった値について新たなカウント動作を開始する。
【０１２５】
また、判定器２６８は、復調済みのＴＤＤ切替信号の値を監視し、ＴＤＤ切替信号の値が切り替わると、カウンタ２６７から、切り替わる前の値のカウント値を読み込む。そして、読み込んだカウント値と、予め設定されている設定カウント値との比較を行い、比較結果に基づいて、比較器２７５で設定されている閾値の値の調整方法を第１の装置の場合と同様に決定し、当該調整方法にしたがって閾値を調整する旨の閾値調整信号を比較器２７５に出力する。
【０１２６】
比較器２７５からＴＤＤタイミング補正回路２７外に出力された、復調済みのＴＤＤ切替信号は、ＴＤＤスイッチ２２及び２５に出力される。ＴＤＤスイッチ２２及び２５は、第１の装置の場合と同様、ＴＤＤスイッチ１３と共に、ＴＤＤ切替信号の値に基づき、交互に接続先を切り替える制御を行う。
上述したＴＤＤ切替信号の動作制御によって、第２の装置では、送受信機能の切り替えが行われ、ＴＤＤ方式による無線通信を実現できる。
【０１２７】
上述したように、第２の装置によれば、ＴＤＤタイミング補正回路２７を屋外装置２に設け、当該回路において、ＡＳＫ変調されたＴＤＤ切替信号を規定のサンプルレートでディジタル変換して絶対値を取得した後、加算器２７１、遅延素子２７２及び切替器２７３によってサンプル時間毎にキャリア信号の一周期分の絶対値の累積加算結果を求め、比較器２７５によって当該累積加算結果と、予め設定された閾値とを比較し、総和が閾値よりも大きい場合には”１”の値を、総和が閾値よりも小さい場合には”０”の値を取る矩形波を復調済みのＴＤＤ切替信号として出力するようにしたことで、第１の装置におけるＴＤＤタイミング補正回路２６と比較して、遅延素子の数を低減することができ、第１の装置の効果に加え、屋外装置の回路規模を縮小できる効果がある。
【０１２８】
【発明の効果】
本発明によれば、ＴＤＤ方式の無線通信装置において、ＴＤＤ方式の無線通信装置において、無線通信制御を司る屋内装置と、無線通信動作を行う屋外装置とを有し、屋内装置は、屋内装置及び屋外装置における送信期間と受信期間を表す矩形波であるＴＤＤ切替信号を作成し、ＴＤＤ切替信号を任意の周波数のキャリア信号でＡＳＫ変調して屋外装置に送信し、屋外装置は、ＡＳＫ変調されたＴＤＤ切替信号を復調し、復調されたＴＤＤ切替信号に基づいて無線通信の送受信を切り替えるＴＤＤ方式の無線通信装置であって、屋外装置が、ＡＳＫ変調されたＴＤＤ切替信号を、特定のサンプルレートでディジタル変換して出力するＡＤコンバータと、ディジタル変換されたＴＤＤ切替信号の絶対値を取得してサンプル時間毎に出力する絶対値変換回路と、絶対値をキャリア信号の一周期分加算して出力する加算部と、予め設定された閾値と、加算器からの加算結果とを比較し、当該比較結果を、復調済みのＴＤＤ切替信号として出力する比較器と、復調済みのＴＤＤ切替信号における送信期間又は受信期間をサンプルレートでカウントするカウンタと、カウンタでのカウント結果と、屋内装置で作成されるＴＤＤ切替信号における送信期間又は受信期間に基づく設定カウント値とを比較し、比較結果に応じて比較器の閾値を調整する判定器とを有するＴＤＤタイミング補正回路を備え、ＴＤＤタイミング補正回路から出力される復調済みのＴＤＤ切替信号に基づいて、無線通信の送受信を切り替える屋外装置としたＴＤＤ方式の無線通信装置としているので、送受信タイミングの切替を適正に行い、通信品質の劣化を防止できる効果がある。
【図面の簡単な説明】
【図１】本発明の第１の実施の形態に係る無線通信装置の構成ブロック図である。
【図２】本発明の第１の実施の形態に係る無線通信装置の屋外装置に設けられる、第１のＴＤＤタイミング補正回路２６の構成ブロック図である。
【図３】ＴＤＤタイミング補正回路２６におけるＴＤＤ切替信号の絶対値及び加算器２６５の加算結果の出力タイミングのチャート図である。
【図４】ＡＳＫ変調されたＴＤＤ切替信号の波形図である。
【図５】判定器２６８における閾値の調整値の決定方法のフローチャート図である。
【図６】本発明の第２の実施の形態に係る無線通信装置の屋外装置に設けられる、第２のＴＤＤタイミング補正回路２７の構成ブロック図である。
【図７】ＴＤＤタイミング補正回路２７における各部の出力信号及び制御信号のタイミングのチャート図である。
【図８】従来の一般的なＴＤＤ方式の無線通信装置の構成ブロック図である。
【図９】ＡＳＫ発生回路１５の構成ブロック図である。
【図１０】ＡＳＫ検波回路２８の構成ブロック図である。
【図１１】図８の無線通信装置におけるＴＤＤ切替信号の状態の遷移を示した説明図である。
【図１２】図８の無線通信装置における、ＴＤＤ切替信号の復調結果による送受信タイミングの影響を示した説明図である。
【符号の説明】
１…屋内装置、  ２…屋外装置、  ３…アンテナ、  ４…同軸ケーブル、  １１…送信部、  １２…受信部、  １３，２２，２５…ＴＤＤスイッチ、  １４…主制御回路、  １５…ＡＳＫ発生回路、  １６，２１…デュープレクサ、  ２３…送信系、  ２４…受信系、  ２６，２７…ＴＤＤタイミング補正回路、  ２８…ＡＳＫ検波回路
【図１】
2005012411.tif 000003
【図２】
2005012411.tif 000004
【図３】
2005012411.tif 000005
【図４】
2005012411.tif 000006
【図５】
2005012411.tif 000007
【図６】
2005012411.tif 000008
【図７】
2005012411.tif 000009
【図８】
2005012411.tif 000010
【図９】
2005012411.tif 000011
【図１０】
2005012411.tif 000012
【図１１】
2005012411.tif 000013
【図１２】
2005012411.tif 000014